(57)【要約】      （修正有）【課題】アクセサリと機器本体とを電気的に接続するケーブルが手の邪魔にならないようにしてアクセサリの操作性を向上させる。【解決手段】電子機器は、凹凸部２１１が形成された固定部材２１０の近傍にジャック２５０を有する機器本体と、凹凸部が形成された固定部材の穴部に挿通されるとともに、先端部に固定部材２１０の雌ねじ部２１２に螺合される雄ねじ部が形成されたねじ部材と、ジャック２５０に挿抜可能なプラグが先端部に設けられたケーブルとを有し、凹凸部を凹凸部２１１に係合させて雄ねじ部を雌ねじ部２１２に締め付けることで、機器本体に対して所定の回転角度で着脱可能に固定され、プラグをジャック２５０に挿入することで、機器本体と電気的に接続されるアクセサリとを備える。ねじ部材の軸方向とジャック２５０に対するプラグの挿抜方向とは交差し、ジャック２５０は、ねじ部材の軸方向から見て固定部材２１０と重なり合う位置に配置される。【選択図】図２
2018163210.tif 000002
【特許請求の範囲】
【請求項１】
周方向に沿って第１凹凸部が形成された第１固定部材と、前記第１固定部材の近傍に前記第１凹凸部の反対側の面に位置して設けられる第１電気接続部とを有する機器本体と、
周方向に沿って第２凹凸部が前記第１凹凸部に対応して形成された第２固定部材と、前記第２固定部材に設けられた穴部に挿通されるとともに、前記第１固定部材に設けられた雌ねじ部に螺合される雄ねじ部が形成されたねじ部材と、前記第１電気接続部に対して挿抜可能な第２電気接続部が設けられたケーブルとを有し、前記第２凹凸部を前記第１凹凸部に係合させた状態で前記雄ねじ部を前記雌ねじ部に螺合して締め付けることで、前記機器本体に対して所定の回転角度で着脱可能に固定され、前記第２電気接続部を前記第１電気接続部に挿入することで、前記機器本体と電気的に接続されるアクセサリとを備え、
前記ねじ部材の軸方向と前記第１電気接続部に対する前記第２電気接続部の挿抜方向とが交差して配置され、前記第１電気接続部は、前記ねじ部材の軸方向から見て前記第１固定部材と重なり合う位置に配置されていることを特徴とする電子機器。
【請求項２】
前記ねじ部材の軸方向と前記第１電気接続部に対する前記第２電気接続部の挿抜方向とが直交して配置されていることを特徴とする請求項１に記載の電子機器。
【請求項３】
前記第１電気接続部に対する前記第２電気接続部の挿抜方向が前記第１固定部材の外周部から中心部に向かって延びて配置されていることを特徴とする請求項１又は２に記載の電子機器。
【請求項４】
前記機器本体と前記アクセサリとの間に配置される規制部材を備え、
前記規制部材は、前記第１固定部材の外周部に係合する係合部と、前記アクセサリに向かって突設され、前記アクセサリに形成された円弧状凹部に係合して前記アクセサリを回転させた際に前記アクセサリの回転角度を規制する凸部とを有することを特徴とする請求項１乃至３のいずれか一項に記載の電子機器。
【請求項５】
前記規制部材は、前記機器本体と前記アクセサリとの間に設けられた状態において、前記第１電気接続部に挿入された前記第２電気接続部の抜け方向の移動を規制する規制部を有することを特徴とする請求項４に記載の電子機器。
【請求項６】
前記アクセサリは、前記ねじ部材に係合して前記ねじ部材と連動して回転する回転操作部材を有することを特徴とする請求項１乃至５のいずれか一項に記載の電子機器。
【請求項７】
前記回転操作部材は、前記ねじ部材の軸方向から見て、その外形が前記第２固定部材の外形よりも大きく、かつ前記アクセサリの外形から径方向外側に突出して設けられていることを特徴とする請求項６に記載の電子機器。
【請求項８】
前記回転操作部材を前記ねじ部材の軸方向に付勢する付勢部材を有することを特徴とする請求項６又は７に記載の電子機器。
【請求項９】
前記ねじ部材の前記雄ねじ部と反対側の端部には、前記穴部から前記アクセサリの外部に露出するレンチ用の凹部が設けられていることを特徴とする請求項１乃至８のいずれか一項に記載の電子機器。
【発明の詳細な説明】
【技術分野】
【０００１】
本発明は、デジタルカメラ等の撮像装置を含む電子機器に関し、特に機器本体に対してアクセサリが着脱可能に装着される電子機器に関する。
【背景技術】
【０００２】
デジタルカメラ等の電子機器では、機器本体に対してグリップ部等のアクセサリが装着されるものがある。このような電子機器では、機器本体を三脚に据え付けて撮影を行う場合に不要となるグリップ部の取り外しが可能な構造が求められ、また、撮影状況に合わせて撮影スタイルを変えられるよう、グリップ部の固定角度が調整可能な構造が求められている。
【０００３】
従来、レンズ鏡胴の側部に、グリップを固定菊座を用いてレンズ鏡胴に対して回転可能、及び固定可能に取り付けた技術が提案されている（特許文献１）。この提案では、固定菊座を光軸に対して傾けることでレンズ鏡胴とグリップの隙間を確保し、レンズ鏡胴の操作リングの操作性を上げることが可能になるとしている。また、グリップに操作スイッチを設けることで、グリップが取り付けられる機器の機能性を上げることが可能になるとしている。この操作スイッチの電気信号を機器本体に送る方法にはケーブルが用いられ、ケーブルは、グリップとレンズ鏡胴を含む機器本体とを電気的に接続する。
【先行技術文献】
【特許文献】
【０００４】
【特許文献１】特許第２６５５６９５号公報
【発明の概要】
【発明が解決しようとする課題】
【０００５】
しかし、上記特許文献１では、グリップとレンズ鏡胴を含む機器本体とを電気的に接続するケーブルの引き回しによって、ケーブルがグリップを把持する手の邪魔になりグリップの操作性を損なう可能性がある。
【０００６】
そこで、本発明は、アクセサリと機器本体とを電気的に接続するケーブルがアクセサリを操作する手の邪魔にならないようにしてアクセサリの操作性を向上させる電子機器を提供することを目的とする。
【課題を解決するための手段】
【０００７】
上記目的を達成するために、本発明の電子機器は、周方向に沿って第１凹凸部が形成された第１固定部材と、前記第１固定部材の近傍に前記第１凹凸部の反対側の面に位置して設けられる第１電気接続部とを有する機器本体と、周方向に沿って第２凹凸部が前記第１凹凸部に対応して形成された第２固定部材と、前記第２固定部材に設けられた穴部に挿通されるとともに、前記第１固定部材に設けられた雌ねじ部に螺合される雄ねじ部が形成されたねじ部材と、前記第１電気接続部に対して挿抜可能な第２電気接続部が設けられたケーブルとを有し、前記第２凹凸部を前記第１凹凸部に係合させた状態で前記雄ねじ部を前記雌ねじ部に螺合して締め付けることで、前記機器本体に対して所定の回転角度で着脱可能に固定され、前記第２電気接続部を前記第１電気接続部に挿入することで、前記機器本体と電気的に接続されるアクセサリとを備え、前記ねじ部材の軸方向と前記第１電気接続部に対する前記第２電気接続部の挿抜方向とが交差して配置され、前記第１電気接続部は、前記ねじ部材の軸方向から見て前記第１固定部材と重なり合う位置に配置されていることを特徴とする。
【発明の効果】
【０００８】
本発明によれば、アクセサリと機器本体とを電気的に接続するケーブルがアクセサリを操作する手の邪魔にならないようにしてアクセサリの操作性を向上させる電子機器を提供することができる。
【図面の簡単な説明】
【０００９】
【図１】本発明の電子機器の実施形態の一例であるデジタルカメラを正面側から見た図である。
【図２】カメラ本体の第１着脱部の部分を示す斜視図である。
【図３】第１着脱部を示す斜視図である。
【図４】第１着脱部の断面図である。
【図５】アクセサリを第２着脱部側から見た斜視図である。
【図６】第２着脱部を示す斜視図である。
【図７】第２着脱部の分解斜視図である。
【図８】第２着脱部の断面図である。
【図９】規制部材の斜視図である。
【図１０】（ａ）はカメラ本体の第１着脱部とアクセサリの第２着脱部との間に規制部材を配置した状態を示す斜視図、（ｂ）は（ａ）の反対側から見た斜視図である。
【図１１】カメラ本体の第１着脱部とアクセサリの第２着脱部との間に規制部材が設けられた状態の要部断面図である。
【図１２】アクセサリのプラグケーブルに規制部材を取り付けた状態を示す斜視図である。
【図１３】アクセサリの第２固定菊座に規制部材が取り付けられている状態を示す斜視図である。
【発明を実施するための形態】
【００１０】
以下、図面を参照して、本発明の実施形態の一例を説明する。
【００１１】
図１は、本発明の電子機器の実施形態の一例であるデジタルカメラを正面側（被写体側）から見た図である。なお、本実施形態では、本発明の電子機器として、撮像装置の一例であるデジタルカメラを例示するが、これに限定されない。
【００１２】
図１に示すように、本実施形態のデジタルカメラは、カメラ本体１００に対してアクセサリ４００が着脱可能に装着されている。カメラ本体１００には、第１着脱部２００が設けられ、アクセサリ４００には、第２着脱部５００が設けられている。アクセサリ４００は、本実施形態では、カメラ本体１００に対して回転可能かつ任意の回転角度での固定可能なハンドグリップであり、操作釦や操作ダイアル等の操作部材が設けられている。カメラ本体１００は、本発明の機器本体の一例に相当する。
【００１３】
図２は、カメラ本体１００の第１着脱部２００の部分を示す斜視図である。図３は、第１着脱部２００を示す斜視図である。図４は、第１着脱部２００の断面図である。図２乃至図４に示すように、第１着脱部２００は、第１固定菊座２１０、ピンジャック２５０、固定部材２２０、及び固定部材２５２を有する。また、カメラ本体１００には、凹部１０１ａ，１０１ｂ（図２参照）が設けられている。第１固定菊座２１０は、本発明の第１固定部材の一例に相当し、ピンジャック２５０は、本発明の第１電気接続部の一例に相当する。
【００１４】
第１固定菊座２１０には、周方向に沿って環状に配置される第１凹凸部２１１と雌ねじ部２１２とが設けられ、雌ねじ部２１２は、第１固定菊座２１０の中心部に配置されている。第１固定菊座２１０は、固定部材２２０にビス等により固定され、固定部材２２０は、カメラ本体１００にビス等により固定される。
【００１５】
ピンジャック２５０は、基板２５１に実装され、後述するアクセサリ４００のピンプラグ５５０が挿抜可能に挿入される。ピンジャック２５０の挿抜方向Ｘは、雌ねじ部２１２の軸方向Ｙと直交（交差）して配置されている。また、ピンジャック２５０の挿抜方向Ｘは、第１固定菊座２１０の中心部に向かって配置されており、このような配置により、ユーザはピンプラグ５５０の直感的な挿抜操作が可能となる。
【００１６】
基板２５１は、固定部材２５２にビス等により固定される。固定部材２５２は、固定部材２２０にビス等により固定される。ピンジャック２５０は、雌ねじ部２１２の軸方向Ｙから見て、第１固定菊座２１０と重なり合うように配設され、第１着脱部２００のスペース効率を上げている。
【００１７】
次に、図５乃至図８を参照して、アクセサリ４００について説明する。図５は、アクセサリ４００を第２着脱部５００側から見た斜視図である。図６は、第２着脱部５００を示す斜視図である。図７は、第２着脱部５００の分解斜視図である。図８は、第２着脱部５００の断面図である。
【００１８】
図５乃至図８に示すように、第２着脱部５００は、第２固定菊座５１０、ねじ部材５２０、回転操作ダイアル５３０、付勢部材５４０、ピンプラグ５５０、固定部材５６０、及び固定部材５７０を有する。アクセサリ４００には、円弧状凹部４０１（図５参照）が形成されている。第２固定菊座５１０は、本発明の第２固定部材の一例に相当し、回転操作ダイアル５３０は、本発明の回転操作部材の一例に相当し、ピンプラグ５５０は、本発明の第２電気接続部の一例に相当する。
【００１９】
第２固定菊座５１０には、周方向に沿って環状に配置される第２凹凸部５１１とねじ挿通穴部５１２が設けられている。ねじ挿通穴部５１２は、第２固定菊座５１０の中心部に配設される。第２固定菊座５１０は、固定部材５６０にビス等により固定される。固定部材５６０は、固定部材５７０にビス等により固定される。固定部材５７０は、アクセサリ４００にビス等により固定される。
【００２０】
ねじ部材５２０は、雄ねじ部５２１、六角凹部５２２、及び係合部５２３を有する。雄ねじ部５２１は、ねじ部材５２０の一方の端部に配置され、六角凹部５２２は、ねじ部材５２０の他方の端部に固定部材５７０から外部に露出した状態で配置される。係合部５２３は、Ｔ字形状に形成され、雄ねじ部５２１と六角凹部５２２との間に挟まれる領域に配置される。
【００２１】
回転操作ダイアル５３０は、ダイアル操作部５３１、係合穴５３２、及び当接面５３３を有する。ダイアル操作部５３１は、その外形が第２固定菊座５１０の外形から径方向外側に突出して形成されている。係合穴５３２は、ねじ部材５２０の係合部５２３に対応する形状を有し、ダイアル操作部５３１の中心部に配置されている。係合穴５３２にねじ部材５２０の係合部５２３が係合することにより、ダイアル操作部５３１の回転操作に連動してねじ部材５２０も回転させることが可能となる。当接面５３３は、ダイアル操作部５３１の係合穴５３２の周囲に配設されている。
【００２２】
ここで、回転操作ダイアル５３０は、係合部５２３に対してねじ部材５２０の軸方向（長手方向）に摺動可能である。これにより、雄ねじ部５２１と雌ねじ部２１２の螺合が進んでも、回転操作ダイアル５３０は、同じ位置でダイアル操作部５３１を回転させることが可能となる。
【００２３】
アクセサリ４００をカメラ本体１００に装着するには、まず、アクセサリ４００の第２着脱部５００に設けた第２固定菊座５１０の第２凹凸部５１１をカメラ本体１００の第１着脱部２００に設けた第１固定菊座２１０の第１凹凸部２１１に係合させる。次に、ダイアル操作部５３１を回転操作して雄ねじ部５２１と雌ねじ部２１２を螺合させて締め付ける。これにより、カメラ本体１００に対してガタつき無くアクセサリ４００を固定することが可能となる。
【００２４】
また、ダイアル操作部５３１を逆方向に回転操作して雄ねじ部５２１と雌ねじ部２１２との螺合を緩めた状態では、第１凹凸部２１１と第２凹凸部５１１との係合を解除して係合位置の位相を変えることが可能である。係合位置の位相を変えた状態でダイアル操作部５３１を回転操作して雄ねじ部５２１と雌ねじ部２１２を螺合させて締め付けることにより、アクセサリ４００を所定の角度だけ回転させてカメラ本体１００に固定することが可能となる。ダイアル操作部５３１は、アクセサリ４００の外形から径方向外側に突出している。このため、ユーザは、アクセサリ４００を把持している状態でも、親指でダイアル操作部５３１の回転操作が可能である。つまり、ユーザは、片手でアクセサリ４００の角度調整が可能となる。
【００２５】
ところで、アクセサリ４００は、環境温度が変わったり、回転操作ダイアル５３０が破損したとき等に、カメラ本体１００からの取り外しが困難になる場合がある。これに対して、本実施形態では、ねじ部材５２０がレンチ用の六角凹部５２２を備えているので、これに応じた六角レンチを使うことで、雄ねじ部５２１と雌ねじ部２１２との螺合を緩ませることができる。つまり、ユーザは、アクセサリ４００をカメラ本体１００から確実に取り外すことが可能となる。
【００２６】
付勢部材５４０は、例えば圧縮バネで構成され、中空部には、ねじ部材５２０が挿通配置される。付勢部材５４０の一方の端部は、回転操作ダイアル５３０の当接面５３３に圧接し、他方の端部は、固定部材５７０の環状凹部５７１に圧接する。これにより、回転操作ダイアル５３０は一方向に付勢されるため、回転操作ダイアル５３０のガタつきを抑えることができる。よって、アクセサリ４００が取り付けられたカメラ本体１００で撮影を行う際に、回転操作ダイアル５３０のガタつき音の発生を防ぐことができる。
【００２７】
ピンプラグ５５０は、プラグケーブル５５１の一方の端部に設けられ、プラグケーブル５５１の他方の端部は、第２固定菊座５１０の近傍からアクセサリ４００の内部に電気的に接続される。ピンプラグ５５０がカメラ本体１００の第１着脱部２００に設けられたピンジャック２５０に挿入されて電気的に接続されることで、プラグケーブル５５１を介してカメラ本体１００とアクセサリ４００との間で電気的な通信を行うことが可能である。
【００２８】
本実施形態では、カメラ本体１００の第１着脱部２００とアクセサリ４００の第２着脱部５００との機械的な接続箇所と電気的な接続箇所が近傍に配置されている。このため、プラグケーブル５５１がカメラ本体１００やアクセサリ４００の外部に露出する長さを極力短くすることが可能となる。これにより、アクセサリ４００がカメラ本体１００に対してどのような角度で固定されても、プラグケーブル５５１が短いため、プラグケーブル５５１の引き回しが安定する。このため、アクセサリ４００を把持して操作部材を操作する際にプラグケーブル５５１がユーザの手の邪魔にならず、ユーザの操作性を向上させることができる。
【００２９】
次に、図９乃至図１３を参照して、カメラ本体１００の第１着脱部２００とアクセサリ４００の第２着脱部５００との間に設けられる規制部材３００について説明する。図９は、規制部材３００の斜視図である。図１０（ａ）はカメラ本体１００の第１着脱部２００とアクセサリ４００の第２着脱部５００との間に規制部材３００を配置した状態を示す斜視図、図１０（ｂ）は図１０（ａ）の反対側から見た斜視図である。図１１は、カメラ本体１００の第１着脱部２００とアクセサリ４００の第２着脱部５００との間に規制部材３００が設けられた状態の要部断面図である。
【００３０】
図９乃至図１１に示すように、規制部材３００は、菊座係合部３０５、円弧状凸部３０１、凸部３０３ａ，３０３ｂ、規制部３０２、及び切り欠き穴３０４を有する。菊座係合部３０５は、環状に形成されて第１着脱部２００の第１固定菊座２１０の外周部に嵌合される。凸部３０３ａ，３０３ｂは、菊座係合部３０５の径方向外側に配置されてカメラ本体１００に向かって突設され、図２に示すカメラ本体１００の凹部１０１ａ，１０１ｂに係合する。この係合により、規制部材３００がピンジャック２５０の挿抜方向Ｘの抜き方向に移動することを規制している。
【００３１】
規制部３０２は、ピンプラグ５５０がピンジャック２５０の挿抜方向Ｘの抜き方向に移動したときに、ピンプラグ５５０が当接する。アクセサリ４００がカメラ本体１００に取り付けられ状態で、ピンジャック２５０から抜かれる方向に、ピンプラグ５５０に外力が加わっても、ピンプラグ５５０は、ピンジャック２５０の抜き方向に移動が規制された規制部材３００の規制部３０２に当接する。このため、ピンプラグ５５０は、ピンジャック２５０から抜けることはない。つまり、プラグケーブル５５１が何かに引っ掛かるなど、プラグケーブル５５１に予期せぬ外力が加わっても、カメラ本体１００とアクセサリとの電気的接続が維持される。
【００３２】
円弧状凸部３０１は、菊座係合部３０５からアクセサリ４００に向けて突設され、図５に示す円弧状凹部４０１と係合する。これにより、カメラ本体１００に対してアクセサリ４００が回転する際に、円弧状凸部３０１の周方向端と円弧状凹部４０１の周方向端とが当接して、アクセサリ４００の回転角度を規制する。つまり、アクセサリ４００が回転するときに、アクセサリ４００から延びたプラグケーブル５５１が突っ張る前に円弧状凸部３０１の周方向端と円弧状凹部４０１の周方向端とが当接することで、プラグケーブル５５１への負荷を抑えることができる。
【００３３】
このように、規制部材３００を用いることで、カメラ本体１００とアクセサリ４００との電気的に安定した接続や、プラグケーブル５５１の破損の防止が可能となるため、アクセサリ４００の信頼性を上げることができる。また、ユーザは規制部材３００を取り外してカメラ本体１００を使うことができる。このため、さまざまな形状のアクセサリに対応することが可能となり、ユーザの利便性を上げることができる。
【００３４】
図１２は、アクセサリ４００のプラグケーブル５５１に規制部材３００を取り付けた状態を示す斜視図である。図１２に示すように、規制部材３００の切り欠き穴３０４は、プラグケーブル５５１に嵌合される。アクセサリ４００をカメラ本体１００から取り外したときに、切り欠き穴３０４をプラグケーブル５５１に嵌め込むことで、規制部材３００の紛失を防ぐことが可能となる。
【００３５】
図１３は、アクセサリ４００の第２固定菊座５１０に規制部材３００が取り付けられている状態を示す斜視図である。図１３に示すように、規制部材３００の菊座係合部３０５は、第２固定菊座５１０の外周部に嵌合されている。アクセサリ４００をカメラ本体１００から取り外したときに、菊座係合部３０５を第２固定菊座５１０の外周部に嵌合させることで、規制部材３００の紛失を防ぐことが可能となる。
【００３６】
以上説明したように、本実施形態では、カメラ本体１００の第１着脱部２００とアクセサリ４００の第２着脱部５００との機械的な接続箇所と電気的な接続箇所が近傍に配置されている。このため、アクセサリ４００とカメラ本体１００とを電気的に接続するプラグケーブル５５１を大幅に短くすることができ、プラグケーブル５５１がアクセサリ４００を把持する手の邪魔にならないようにしてアクセサリ４００の操作性を向上させることができる。
【００３７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３８】
１００  カメラ本体
２１０  第１固定菊座
２１１  第１凹凸部
２１２  雌ねじ部
２５０  ピンジャック
４００  アクセサリ
５１０  第２固定菊座
５１１  第２凹凸部
５１２  ねじ挿通穴部
５２０  ねじ部材
５２１  雄ねじ部
５５０  ピンプラグ
５５１  プラグケーブル
【図１】
2018163210.tif 000003
【図２】
2018163210.tif 000004
【図３】
2018163210.tif 000005
【図４】
2018163210.tif 000006
【図５】
2018163210.tif 000007
【図６】
2018163210.tif 000008
【図７】
2018163210.tif 000009
【図８】
2018163210.tif 000010
【図９】
2018163210.tif 000011
【図１０】
2018163210.tif 000012
【図１１】
2018163210.tif 000013
【図１２】
2018163210.tif 000014
【図１３】
2018163210.tif 000015